(57)【要約】  オーディオ装置の制御部１４は、ラジオ受信機１１より受信した楽曲識別情報を、操作部１８より指示があった場合に内部メモリ１９にあるテンポラリタギングテーブル２０に保存し、その情報から放送局毎の楽曲識別情報取得履歴を表示するために必要な情報を履歴管理テーブル２１に保存し、そのテーブルから放送局毎の楽曲識別情報取得回数を表示するために必要な情報を放送局管理テーブル２２に保存し、ラジオ放送再生中には、再生可能な放送局毎に楽曲識別情報取得回数を表示部１７に表示させる。このように、ラジオ放送局毎に楽曲識別情報取得回数や履歴を表示し、前記楽曲識別情報取得回数が多い放送局順に並び換えて表示することにより、ユーザーが好みの曲を多く流す放送局を容易に把握することができる。
2011096238.tif 000002
【特許請求の範囲】
【請求項１】
放送中のオーディオ信号が表す楽曲の識別を表す楽曲識別情報を伴うラジオ放送を受信するラジオ受信機と、
前記楽曲識別情報の取得を指示する操作部と、
前記操作部によって前記楽曲識別情報の取得が指示された回数をカウントする制御部と、
放送局毎に前記制御部にてカウントされた回数を放送局管理テーブルとして記憶する内部メモリと、
前記内部メモリに記憶された前記放送局管理テーブルの内容を表示する表示部と、
を備えたことを特徴とするオーディオ装置。
【請求項２】
前記表示部が表示する前記放送局管理テーブルの内容は、放送局のリストと、該放送局に対して過去に前記楽曲識別情報の取得が指示された回数とであることを特徴とする請求項１記載のオーディオ装置。
【請求項３】
前記制御部は、過去に前記楽曲識別情報の取得が指示された回数が多い順に、前記表示部に現在再生可能な放送局を表示させることを特徴とする請求項１記載のオーディオ装置。
【請求項４】
前記オーディオ装置は、ポータブル型の記憶装置、オーディオ再生装置およびリムーバブルメディアの少なくともいずれか一つの外部機器と接続され、
前記制御部は、前記楽曲識別情報を前記外部機器に記憶させることを特徴とする請求項１記載のオーディオ装置。
【請求項５】
前記内部メモリは、前記楽曲識別情報が保存されるテンポラリタギングテーブルと、前記テンポラリタギングテーブルに保存された情報の一部を保存する履歴管理テーブルと、を有し、
前記制御部は、前記操作部によって前記楽曲識別情報の取得が指示された場合にのみ前記テンポラリタギングテーブルに放送中の前記楽曲識別情報を保存し、前記テンポラリタギングテーブルに保存された楽曲識別情報のうち前記表示部に表示する情報を前記履歴管理テーブルに保存させ、前記放送局管理テーブルに対する前記放送局毎の楽曲識別情報の取得が指示された回数の更新と前記履歴管理テーブルに対する情報の更新とを行い、前記テンポラリタギングテーブルから前記外部機器へ保存された前記楽曲識別情報を転送させ、前記テンポラリタギングテーブルに保存された前記楽曲識別情報をクリアさせることを特徴とする請求項４記載のオーディオ装置。
【発明の詳細な説明】
【技術分野】
【０００１】
本発明は、デジタルラジオ受信機を備えたオーディオ装置において、ユーザーが、好みの曲を多く流す放送局を容易に知ることができるオーディオ装置に関するものである。
【背景技術】
【０００２】
従来のオーディオ装置として、デジタルオーディオ放送やＦＭ多重放送を受信している際、利用者が操作部を操作すると、オーディオデータと共に送信されている曲付加情報データを取り込み、ダウンロード指定用メモリに記録しておき、利用者の再度の指示によりダウンロード曲指定部はこれに記録されたデータをオーディオ配信センターに送信し、オーディオ配信センターではオーディオデータベースから指定された曲を検索し、オーディオ装置側に送信することによって、オーディオ装置ではこれをオーディオ記録媒体に記録するものが知られている。また、このオーディオ配信センターは、インターネット網に接続し、通信部ではインターネットを介してこれにアクセスすることもできる（たとえば、特許文献１参照）。【０００３】
なお、パーソナルコンピューターを介してオーディオ配信センターにアクセスする場合は、ポータブルオーディオ等の外部メモリをオーディオ装置に接続させ、記憶していた曲付加情報を外部メモリに転送し、それをパーソナルコンピューターに接続することによって上記技術が実施可能となる。
【先行技術文献】
【特許文献】
【０００４】
【特許文献１】日本国特開２００２−３１９２２６号公報
【発明の概要】
【発明が解決しようとする課題】
【０００５】
しかしながら、従来のオーディオ装置においては、楽曲識別情報（楽曲付加情報）をポータブルオーディオ等の外部メモリに転送させると、オーディオ装置の内部メモリの情報はクリアされてしまうため、放送局毎の楽曲識別情報取得回数や履歴が表示されず、ユーザーはどの放送局が頻繁に気に入った楽曲を流すのか記憶しておく必要があるという問題があった。【０００６】
本発明は、従来の問題を解決するためになされたもので、ラジオ放送局毎に楽曲識別情報取得回数や履歴を表示し、前記楽曲識別情報取得回数が多い放送局順に並び換えて表示することのできるデジタルラジオ受信機を備えたオーディオ装置を提供することを目的とする。
【課題を解決するための手段】
【０００７】
上記目的を達成するために本発明のオーディオ装置は、放送中のオーディオ信号が表す楽曲の識別を表す楽曲識別情報を伴うラジオ放送を受信するラジオ受信機と、前記楽曲識別情報の取得を指示する操作部と、前記操作部によって前記楽曲識別情報の取得が指示された回数をカウントする制御部と、放送局毎に前記制御部にてカウントされた回数を放送局管理テーブルとして記憶する内部メモリと、前記内部メモリに記憶された前記放送局管理テーブルの内容を表示する表示部とを備えたものである。
【発明の効果】
【０００８】
以上により、本発明によれば、デジタルラジオ受信機を備えたオーディオ装置において、ユーザーが好みの曲を多く放送する放送局を容易に把握することができるようになる。
【図面の簡単な説明】
【０００９】
【図１】本発明の実施の形態におけるオーディオ装置の構成図
【図２】（ａ）は本発明の実施の形態におけるテンポラリタギングテーブルを表す図、（ｂ）は本発明の実施の形態における履歴管理テーブルを表す図、（ｃ）は本発明の実施の形態における放送局管理テーブルを表す図
【図３】本発明の実施の形態におけるテンポラリタギングテーブルの作成処理を表すフローチャート
【図４】本発明の実施の形態における履歴管理テーブルの作成処理を表すフローチャート
【図５】本発明の実施の形態における放送局管理テーブルの作成処理を表すフローチャート
【図６】（ａ）は本発明の実施の形態におけるオーディオ装置に備えられた表示部の説明図、（ｂ）は本発明の実施の形態におけるオーディオ装置に備えられた表示部のタグ情報取得回数が多い放送局順に並び換えた場合の説明図
【図７】本発明の実施の形態におけるオーディオ装置に備えられた表示部の表示処理を表すフローチャート
【発明を実施するための形態】
【００１０】
以下、本発明の実施形態について図面を参照しながら説明する。
【００１１】
図１に、本実施形態に係るオーディオ装置１の構成を示す。オーディオ装置１は、ラジオ受信機１１と、ＣＤやＤＶＤディスクを再生するリムーバブルディスクドライブ１２と、外部インタフェース１３と、制御部１４と、オーディオ処理部１５と、スピーカ１６と、表示部１７と、操作部１８と、内部メモリ１９とを備えている。
【００１２】
また、内部メモリ１９には、テンポラリタギングテーブル２０と、履歴管理テーブル２１と、放送局管理テーブル２２とが設けられている。
【００１３】
そして、外部インタフェース１３には、メモリカードやＵＳＢメモリ装置などのポータブル記憶装置２や、ポータブルオーディオプレイヤ３などの外部機器を選択的に接続することができる。
【００１４】
ここで、ポータブルオーディオプレイヤ３は、内蔵したＨＤＤや半導体メモリに楽曲のオーディオファイルを記録し、記録したオーディオファイルの再生処理を行う携帯型の装置である。
【００１５】
また、ポータブルオーディオプレイヤ３は、単独使用時には、オーディオファイルの再生処理において、当該オーディオファイルに格納されたオーディオデータが表す音声を、ポータブルオーディオプレイヤ３に備えられている音声出力端子に再生出力し、オーディオ装置１との接続時には、オーディオファイルの再生処理において、当該オーディオファイルのオーディオデータをオーディオ装置１へ出力する。
【００１６】
ラジオ受信機１１は、楽曲識別情報であるタギング用のタグ情報を伴うデジタルラジオ放送を受信するラジオ受信機１１であり、タグ情報とは、デジタルラジオ放送で放送中の楽曲を特定するための情報である。
【００１７】
ここで、本実施形態においては、各楽曲のタグ情報として、楽曲のアルバム名やタイトル、アーティスト、楽曲ＩＤ、放送局名などの情報が用いられる。また、オーディオ処理部１５は、入力するオーディオデータが表す音声をスピーカ１６に出力する処理を行う。
【００１８】
このような構成において、制御部１４は、操作部１８をユーザーが操作することによって、オーディオソースとしてラジオ受信機１１が設定されているときには、再生可能な放送局のうち操作部１８のユーザー操作に応じてラジオ受信機１１の受信チャネルを設定する。
【００１９】
一方、ラジオ受信機１１は、設定された受信チャネルのラジオ放送の放送信号をフロントエンドで受信し、図示しない復調/分離部において、フロントエンドで受信した放送信号を、オーディオデータとタグ情報とに復調/分離し、オーディオデータについては、オーディオ処理部１５に出力し、タグ情報については、制御部１４からのアクセスに応じて制御部１４に出力する。
【００２０】
また、制御部１４は、オーディオ処理部１５に、ラジオ受信機１１が出力するオーディオデータが表す音声をスピーカ１６に出力させる。
【００２１】
そして、制御部１４は、操作部１８のユーザー操作によって外部インタフェース１３に接続されたポータブル記憶装置２や、リムーバブルディスクドライブ１２に装着されたＣＤやＤＶＤに記録されているオーディオファイルの再生が指示された場合、再生が指示されたオーディオファイルのオーディオデータを読み出して、オーディオ処理部１５に出力すると共に、オーディオ処理部１５に、当該提供したオーディオデータが表す音声をスピーカ１６から出力させる。
【００２２】
さらに、制御部１４は、操作部１８のユーザー操作によって外部インタフェース１３に接続されたポータブルオーディオプレイヤ３の再生を指示された場合、オーディオ処理部１５に、ポータブルオーディオプレイヤ３からオーディオ装置１に入力するオーディオデータが表す音声をスピーカ１６に出力させる。
【００２３】
オーディオ装置１の内部メモリ１９には、ラジオ受信機１１がデジタルラジオ放送で受信した楽曲のタグ情報のうち、操作部１８のユーザー操作によってタグ情報取得指示があった場合のみ放送中の楽曲のタグ情報が保存されるテンポラリタギングテーブル２０と、放送局毎にタグ情報を取得した履歴を管理するための履歴管理テーブル２１と、放送局毎のタグ情報取得回数や前記履歴を表示するための放送局管理テーブル２２が格納される。
【００２４】
ポータブル記憶装置２やポータブルオーディオプレイヤ３には、オーディオ装置１に接続した際にテンポラリタギングテーブルに格納されたタグ情報を制御部１４によって転送させ保存するタギングテーブルが格納されている。
【００２５】
ここで、図２（ａ）に、オーディオ装置１の内部メモリ１９に登録されるテンポラリタギングテーブル２０を示す。
【００２６】
図２（ａ）に示すように、テンポラリタギングテーブル２０は、操作部１８のユーザー操作によってタグ取得指示があった場合に放送中の楽曲のタグ情報を格納するテーブルである。
【００２７】
また、ポータブル記憶装置２やポータブルオーディオプレイヤ３が接続された場合は、このテンポラリタギングテーブル２０に保存されたタグ情報を転送させ、テンポラリタギングテーブル２０はクリアされる。
【００２８】
次に、図２（ｂ）に、オーディオ装置１の内部メモリ１９に登録される履歴管理テーブル２１を示す。図２（ｂ）に示すように、履歴管理テーブル２１は、クリアされる前のテンポラリタギングテーブル２０から履歴表示に必要な情報のみコピーし履歴管理テーブル２１に保存される。この履歴管理テーブル２１はポータブル記憶装置２やポータブルオーディオプレイヤ３の接続有無を問わず常に情報を保持し続ける。
【００２９】
さらに、図２（ｃ）に、オーディオ装置１の内部メモリ１９に登録される放送局管理テーブル２２を示す。図２（ｃ）に示すように、放送局管理テーブル２２は、放送局のリストと、放送局毎のタグ情報取得回数と、履歴管理テーブル２１の参照番号とを保存するためのデータテーブルである。この放送局管理テーブル２２はポータブル記憶装置２やポータブルオーディオプレイヤ３の接続有無を問わず常に情報を保持し続ける。
【００３０】
ただし、ここで参照番号とは、個別のタグ情報ごとにそれぞれ異なる任意の数値を用いて付与された管理番号のことを指す。
【００３１】
以上のように構成されたオーディオ装置１について、以下にその処理動作を説明する。
【００３２】
図３は、本発明の実施の形態におけるテンポラリタギングテーブル２０の作成処理のフローチャートである。
【００３３】
図３において、まず、オーディオ装置１がタグ情報を受信（ステップＳ３０１）すると、ポータブル記憶装置２またはポータブルオーディオプレイヤ３の接続有無を確認し（ステップＳ３０２）、接続が確認された場合は操作部１８よりタグ情報取得指示の有無を確認する（ステップＳ３０３）。
【００３４】
タグ情報取得の指示があった場合（ステップＳ３０３におけるＹＥＳ）は受信したタグ情報を当該テンポラリタギングテーブル２０に保存し（ステップＳ３０４）、保存されたテーブルより履歴表示に必要な情報（アルバム名、曲名、アーティスト名、放送局名、取得日時）のみを履歴管理テーブル２１に保存させ（ステップＳ３０５）、放送局管理テーブル２２に対して放送局毎のタグ情報取得回数と履歴管理テーブル２１への参照番号の更新を行う（ステップＳ３０６）。
【００３５】
その後、接続されたポータブル記憶装置２またはポータブルオーディオプレイヤ３へ当該テンポラリタギングテーブル２０に保存されたタグ情報を転送させ（ステップＳ３０７）、当該テンポラリタギングテーブル２０の内部データをクリアさせて（ステップＳ３０８）次のタグ受信待ち処理（ステップＳ３０１）へ戻る。
【００３６】
ステップＳ３０３にてタグ情報取得の指示がなかった場合（ステップＳ３０３におけるＮＯ）は当該テンポラリタギングテーブル２０にタグ情報が保存されているか確認し（ステップＳ３０９）、存在する場合はステップＳ３０７へと移り、存在しない場合はステップＳ３０１へ戻る。
【００３７】
ステップＳ３０２にてポータブル記憶装置２またはポータブルオーディオプレイヤ３の接続が確認されなかった場合は、ステップＳ３１０に処理が移行して、操作部１８よりタグ情報取得指示の有無を確認し、指示があった場合（ステップＳ３１０におけるＹＥＳ）は受信したタグ情報を当該テンポラリタギングテーブル２０に保存し（ステップＳ３１１）、保存されたテーブルより履歴表示に必要な情報（アルバム名、曲名、アーティスト名、放送局名、取得日時）のみ履歴管理テーブル２１に保存させ（ステップＳ３１２）、放送局管理テーブル２２にて放送局毎のタグ情報取得回数と履歴テーブル参照番号の更新を行う（ステップＳ３１３）。
【００３８】
ステップＳ３１０にてタグ情報取得指示がなかった場合（ステップＳ３１０におけるＮＯ）はステップＳ３０１へ戻る。
【００３９】
以上の処理フローによってテンポラリタギングテーブルの作成が可能となる。
【００４０】
次に本発明の実施の形態における履歴管理テーブルの作成処理について説明する。
【００４１】
図４は本発明の実施の形態における履歴管理テーブル２１の作成処理のフローチャートであり、この処理は、図３におけるステップＳ３０５およびステップＳ３１２における処理に該当する。
【００４２】
まず、履歴管理テーブル２１内に履歴表示用タグ情報が存在する場合、その情報の中から最新の取得日時（日時Ａ）を選択してテンポラリタギングテーブル２０に存在するタグ情報の最新取得日時（日時Ｂ）と比較し（ステップＳ４０１）、日時Ａより日時Ｂのほうが新しいか否かを判別する（ステップＳ４０２）。
【００４３】
ステップＳ４０２において、日時Ａよりも日時Ｂの方が新しい日時であったと判別された場合（ステップＳ４０２におけるＹＥＳ）には新しいタグ情報から履歴を表示するために必要な情報（アルバム名、曲名、アーティスト名、放送局名、取得日時）のみ履歴管理テーブル２１保存させる（ステップＳ４０３）。
【００４４】
日時Ａと日時Ｂが同一であった場合（ステップＳ４０２におけるＮＯ）には処理を行わず終了とする。
【００４５】
以上の処理フローによって履歴管理テーブル２１の作成が可能となる。
【００４６】
次に本実施の形態における放送局管理テーブル２２の作成処理について説明する。
【００４７】
図５は本発明の実施の形態における放送局管理テーブル２２の作成処理のフローチャートであり、この処理はステップＳ３０６およびステップＳ３１３における処理に該当する。
【００４８】
制御部１４は、履歴管理テーブル２１に保存されたタグ情報より放送局毎のタグ情報数をカウントしてその放送局に該当する放送局管理テーブル２２内の場所にカウント値を保存する（ステップＳ５０１）。
【００４９】
次に、各放送局が保存されている履歴管理テーブル２１の番号を、その放送局に該当する放送局管理テーブル２２内の場所に保存する（ステップＳ５０２）。以上によって放送局管理テーブル２２の作成が可能となる。
【００５０】
次に、オーディオ装置１に備えられた表示部１７に表示される内容の説明を行う。図６（ａ）は、本発明の実施の形態におけるオーディオ装置に備えられた表示部１７の説明図であり、ラジオ放送再生中の表示部１７の一例である。
【００５１】
表示部１７は、フロントエンドによって受信された放送可能な放送局を放送局リスト表示部６０１に表示する。
【００５２】
タグ情報取得回数表示部６０２では、放送局リスト表示部６０１に表示された放送可能な放送局毎のタグ情報取得回数を表示する。
【００５３】
また、操作部１８より放送局並び換えの指示があった場合は、図６（ｂ）に示される表示例のように、放送局リスト表示部６０１に表示されている放送局の中からタグ情報取得回数が多い順に放送局リスト表示部６０１の上側から表示される。
【００５４】
タグ情報表示部６０３には、再生中の楽曲情報が表示される。また、操作部１８より履歴表示の指示があった場合は、再生中の放送局のタグ情報取得履歴がタグ情報表示部６０３に表示される。
【００５５】
図７は、本発明の実施の形態におけるオーディオ装置１に備えられた表示部１７の表示処理を表すフローチャートである。
【００５６】
まず最初に、フロントエンドによって受信される放送可能な放送局を放送局リスト表示部６０１に表示する（ステップＳ７０１）。
【００５７】
次に、内部メモリ１９に備えられた放送局管理テーブル２２から、放送局リスト表示部６０１に表示されている放送局のタグ情報取得回数を取得し、放送局毎にタグ情報取得回数表示部６０２に表示する（ステップＳ７０２）。
【００５８】
さらに、操作部１８より並び換えの指示の有無を確認し（ステップＳ７０３）、指示があった場合は放送局リスト表示部６０１に表示されている放送局の中からタグ情報取得回数が多い順に上から表示する（ステップＳ７０４）。
【００５９】
その後、操作部１８より履歴表示の指示の有無を確認し（ステップＳ７０５）、指示があった場合は放送局管理テーブル２２の中から再生中の放送局の履歴管理テーブル２１への番号を参照して履歴管理テーブル２１の中から該当する番号の履歴をタグ情報表示部６０３に表示する（ステップＳ７０６）。
【００６０】
本実施形態によれば、放送可能な放送局毎のタグ情報取得回数と履歴の表示及びタグ情報取得回数の多い放送局順に並び換えて表示することが可能となる。
【００６１】
なお、以上の説明において、外部メモリは、オーディオ装置からアクセス可能な、ポータブル型の記憶装置、オーディオ再生装置またはリムーバブルメディアを含むものであってもよい。
また、以上の説明においては、タグ情報取得回数表示部が表示する放送局毎のタグ情報取得回数として数値そのものを表示する例が用られたが、数値に代えて、グラフなどの図形による表示や、色の濃淡あるいは暖色および寒色を利用してタグ情報取得回数を表現する構成としてもよい。
【００６２】
外部メモリに、オーディオ装置からアクセス可能なポータブル型の記憶装置、オーディオ再生装置またはリムーバブルメディアを含めた場合、楽曲識別情報保存手段は、前記楽曲識別情報を、ポータブル型の記憶装置、オーディオ再生装置またはリムーバブルメディアに保存するものとしてもよい。
【００６３】
また、オーディオ装置とは、家庭用オーディオ装置の他にポータブルタイプのオーディオ装置や車載用オーディオ装置を含むものであってもよい。
【００６４】
以上のように、本実施の形態によれば、デジタルラジオ受信機を備えたオーディオ装置の内部メモリにタグ情報を取得した放送局毎の履歴と回数をクリアすることなく保存するテーブルを備えることにより、放送可能な放送局毎のタグ情報取得回数と履歴の表示及びタグ情報取得回数の多い放送局順に並び換えて表示することができる。このため、ユーザーは好みの曲を多く放送する放送局を容易に把握することができるようになる。
【００６５】
本発明を詳細にまた特定の実施態様を参照して説明したが、本発明の精神と範囲を逸脱することなく様々な変更や修正を加えることができることは当業者にとって明らかである。
【００６６】
本出願は、2010年2月8日出願の日本特許出願（特願2010-025091）に基づくものであり、その内容はここに参照として取り込まれる。
【産業上の利用可能性】
【００６７】
本発明のデジタルラジオ受信機を備えたオーディオ装置は、家庭用オーディオ装置の他に、車載用オーディオ装置やポータブルタイプのオーディオ装置としても有用である。
【符号の説明】
【００６８】
１  オーディオ装置
２  ポータブル記憶装置
３  ポータブルオーディオプレイヤ
１１  ラジオ受信機
１２  リムーバブルディスクドライブ
１３  外部インタフェース
１４  制御部
１５  オーディオ処理部
１６  スピーカ
１７  表示部
１８  操作部
１９  内部メモリ
２０  テンポラリタギングテーブル
２１  履歴管理テーブル
２２  放送局管理テーブル
【図１】
2011096238.tif 000003
【図２】
2011096238.tif 000004
【図３】
2011096238.tif 000005
【図４】
2011096238.tif 000006
【図５】
2011096238.tif 000007
【図６】
2011096238.tif 000008
【図７】
2011096238.tif 000009
【国際調査報告】
2011096238.tif 000010
2011096238.tif 000011
2011096238.tif 000012
2011096238.tif 000013